(57)【要約】【課題】  長年使用しても、摺接部の磨耗を防止すること。【解決手段】  主軸と係合する係合部と、副軸によって摺動可能に支持される断面コ字型の摺接部とを有する光ピックアップは、摺接部に被せられて、副軸と当接するキャップを備える。摺接部は、フォーカシング方向に延在する垂直延在部分と、垂直延在部分の下端からタンジェンシャル方向に突出する下部摺接部分と、垂直延在部分の上端からタンジェンシャル方向に突出する上部摺接部分とから構成される。キャップは上部摺接部分に嵌め込まれる。上部摺接部分は、その先端部が根元部よりも幅が細くなった楔形をしている。キャップは、当該キャップを上部摺接部分に挿入する際に、キャップを案内する一対の案内壁を持つ。上部摺接部分は、その根元部に係合溝を持つ。キャップは、係合溝と係合する係合突起を持つ。【選択図】      図７
2008090883.tif 000002
【特許請求の範囲】
【請求項１】
実質的に互いに平行にトラッキング方向に沿って延在する主軸および副軸によってスレッド移動可能に支持される光ピックアップであって、前記主軸と係合する係合部と、前記副軸によって摺動可能に支持される断面コ字型の摺接部とを有する光ピックアップにおいて、
前記摺接部に被せられて、前記副軸と当接するキャップを備えたことを特徴とする光ピックアップ。
【請求項２】
前記摺接部は、フォーカシング方向に延在する垂直延在部分と、該垂直延在部分の下端からタンジェンシャル方向に突出する下部摺接部分と、前記垂直延在部分の上端から前記タンジェンシャル方向に突出する上部摺接部分とから構成され、
前記キャップは前記上部摺接部分に嵌め込まれることを特徴とする、請求項１に記載の光ピックアップ。
【請求項３】
前記上部摺接部分は、その先端部が根元部よりも幅が細くなった楔形をしており、
前記キャップは、当該キャップを前記上部摺接部分に挿入する際に、前記キャップを案内する一対の案内壁を持つ請求項２に記載の光ピックアップ。
【請求項４】
前記上部摺接部分は、その根元部に係合溝を持ち、前記キャップは、前記係合溝と係合する係合突起を持つ、請求項３に記載の光ピックアップ。
【請求項５】
前記光ピックアップが、互いに波長の異なる３種類のレーザビームを使い分けて３種類の光ディスクに対して記録・再生を行うことが可能な３波長対応光ピックアップから成る、請求項１乃至４のいずれか１つに記載の光ピックアップ。
【発明の詳細な説明】
【技術分野】
【０００１】
本発明は、光ピックアップに関し、特に、実質的に互いに平行にトラッキング方向に沿って延在する主軸および副軸によってスレッド移動可能に支持される光ピックアップに関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｒａｙディスク、ＨＤ−ＤＶＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザビームを照射し、またその反射光を検出するための光ピックアップを備えている。
【０００３】
一方、周知のように、ＤＶＤ装置においては、ディジタル・ヴァーサタイル・ディスク（ＤＶＤ）とコンパクト・ディスク（ＣＤ）とのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザビームを使い分けて記録・再生を行うものであり、「２波長対応光ピックアップ」と呼ばれている。
【０００４】
この種の２波長対応光ピックアップの一種として、ＤＶＤ用の短波長レーザ光（第１のレーザ光）を出射するためのＤＶＤ用の第１のレーザダイオードと、ＣＤ用の長波長レーザ光（第２のレーザ光）を出射するためのＣＤ用の第２のレーザダイオードとを備えたものがある（例えば、特許文献１参照）。
【０００５】
しかしながら、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。この１チップ型レーザダイオードは、第１のレーザ光を出射する第１の発光点と第２のレーザ光を出射する第２の発光点とは所定距離（例えば、１００μｍ）だけ離れているので、第１のレーザビームと第２のレーザビームとは互いに所定距離だけ離間して平行に出射されることになる。
【０００６】
さらに、最近のＤＶＤ装置においては、ＤＶＤやＣＤばかりでなくＨＤ−ＤＶＤ（High Definition ＤＶＤ）に対しても記録・再生可能にするために特殊な光ピックアップを備えた光ディスクドライブを搭載したものも開発されている。そのような特殊な光ピックアップは、ＤＶＤ用の中波長レーザ光（波長約６５０ｎｍ）とＣＤ用の長波長レーザ光（波長約７８０ｎｍ）とＨＤ−ＤＶＤ用の短波長レーザ光（波長約４１０ｎｍ）との３種類のレーザ光を使い分けて記録・再生を行うものであり、「３波長対応光ピックアップ」と呼ばれている。
【０００７】
このような３波長対応光ピックアップとして、上記特許文献２に開示されているような、ＣＤ及びＤＶＤ用の１チップ型レーザダイオード（２波長１パッケージレーザダイオード）と、ＨＤ−ＤＶＤ用の青色レーザダイオードとを使用することができる。尚、以下ではＨＤ−ＤＶＤを単にＨＤとも略称する。
【０００８】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。レーザ光源および光検出器は、光学ベースの外側壁に取り付けられ、対物レンズを除く光学系は光学ベース内に取り付けられる。
【０００９】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【００１０】
上記光ピックアップアクチュエータは、フォーカシング制御、トラッキング制御及びチルティング制御を可能にするための装置であり、対物レンズ駆動装置とも呼ばれる。対物レンズ駆動装置は、対物レンズを保持する対物レンズホルダを、複数本のサスペンションワイヤによってダンパベースで弾性支持している（例えば、特許文献３参照）。
【００１１】
ところで、対物レンズ駆動装置は、「対称構造のもの」と「非対称構造のもの」とに分類される。ここで、対称構造の対物レンズ駆動装置とは、対物レンズを中心としてコイルやマグネットを含む磁気回路が対称に配置されるものをいう。一方、非対称構造の対物レンズ駆動装置とは、対物レンズに対してコイルやマグネットを含む磁気回路が非対称に配置されるものをいう。
【００１２】
対称構造の対物レンズ駆動装置では、対物レンズホルダに１つのフォーカシングコイルを巻回し、対物レンズホルダの側面にトラッキングコイル及びチルティングコイルを貼り付け、これらのコイルを磁気回路のギャップ内に部分的に位置させている。このような構成において、各コイルに流れる電流を制御することで、従来の対称構造の対物レンズ駆動装置は、対物レンズの位置及び傾きを微調整することができる（例えば、特許文献４参照。）。尚、トラッキングコイル及びチルティングコイルは、対物レンズホルダの側面に貼り付ける必要上、空芯コイルで構成されている。
【００１３】
対称構造の対物レンズ駆動装置においては、複数本のサスペンションワイヤは、非駆動状態において水平になるように設けられている。詳述すると、対物レンズ駆動装置は、対物レンズを保持する対物レンズホルダを含む可動部分とダンパベースを含む固定部分とに分けられる。可動部分は複数本のサスペンションワイヤによってダンパベースで支持される。複数本のサスペンションワイヤは、ダンパベースと対物レンズホルダとの間で水平面と平行になるように設けられている。
【００１４】
一般に、光ピックアップは、ピックアップ駆動部によって所定のディスク半径方向（トラッキング方向）にスレッド移動させられる。ピックアップ駆動部は、光ピックアップをその両側で所定のディスク半径方向（トラッキング方向）にスレッド移動可能に支持する主軸および副軸を持っている。光ピックアップは、主軸と係合する係合部と、副軸によって摺動可能に支持される、断面コ字形の摺接部とを有している。
【００１５】
ここで、係合部に関しては、多くの光ピックアップにおいて含油メタルが利用されていて、高精度位置決めや駆動時の摺動性・耐磨耗性が図られている。一方、摺接部に関しては、光ピックアップの光学ベース（筐体）の材料そのもので形成される場合が多い。光学ベース（筐体）は、樹脂モールドや金属（亜鉛、アルミニウム、マグネシウムなどの各種合金）ダイカストでできている。
【００１６】
各材料はそれぞれ特徴をもっており、目的に応じて使い分けられている。例えば、光ピックアップに高精度で、信頼性が高く、軽量化が求められるようなときには、筐体（光学ベース）の材質としてマグネシウム合金が採用される場合がある。
【００１７】
しかしながら、マグネシウム合金で摺接部を形成した場合、耐磨耗性に関して問題が発生する場合がある。そこで、従来においては、副軸の設置方法や摺接部の形状を工夫する等して、耐摩耗性の対策を講じている。例えば、光ピックアップのスレッド移動の間中、副軸と摺接部との磨耗の一極集中を防ぐために、副軸を主軸に対して傾けた状態で配置したディスク装置が提案されている（例えば、特許文献５参照）。
【００１８】
【特許文献１】特開２００３−１７３５６３号公報
【特許文献２】特開平１１−１４９６５２号公報
【特許文献３】特開２００３−１９６８６５号公報
【特許文献４】特開２００１−９３１７７号公報
【特許文献５】特開２００２−７４８６５号公報
【発明の開示】
【発明が解決しようとする課題】
【００１９】
特許文献５に開示された構成を採用することにより、光ピックアップの摺接部の磨耗をできるだけ少なくして、スキューずれが増大するのを防止することができる。しかしながら、たとえこのような対策を講じたとしても、光ピックアップの摺接部と副軸とは直接接触しているので、長年の使用により摺接部が磨耗してしまう。特に、摺接部がマグネシウム合金で形成されている場合、何らかの理由により一旦、摺接部が磨耗し始めると、その後急激に摺接部の磨耗が進行する傾向がある。
【００２０】
そこで、本発明の課題は、長年使用しても、摺接部の磨耗を防止することができる、光ピックアップを提供することにある。
【課題を解決するための手段】
【００２１】
本発明によれば、実質的に互いに平行にトラッキング方向（Ｔｒ）に沿って延在する主軸および副軸によってスレッド移動可能に支持される光ピックアップ（１０）であって、前記主軸と係合する係合部（６１）と、前記副軸によって摺動可能に支持される断面コ字型の摺接部（６２）とを有する光ピックアップにおいて、前記摺接部（６２）に被せられて、前記副軸と当接するキャップ（６３）を備えたことを特徴とする光ピックアップが得られる。
【００２２】
上記光ピックアップ（１０）において、前記摺接部（６２）は、フォーカシング方向（Ｆ）に延在する垂直延在部分（６２１）と、該垂直延在部分の下端からタンジェンシャル方向（Ｔｇ）に突出する下部摺接部分（６２２）と、前記垂直延在部分の上端から前記タンジェンシャル方向（Ｔｇ）に突出する上部摺接部分（６２３）とから構成されてよい。この場合、前記キャップ（６３）は前記上部摺接部分（６２３）に嵌め込まれる。前記上部摺接部分（６２３）は、その先端部が根元部よりも幅が細くなった楔形をしていることが好ましい。この場合、前記キャップ（６３）は、当該キャップを前記上部摺接部分に挿入する際に、前記キャップを案内する一対の案内壁（６３２、６３３）を持つ。前記上部摺接部分（６２３）は、その根元部に係合溝（６２３ｃ）を持つことが望ましい。この場合、前記キャップ（６３）は、前記係合溝と係合する係合突起（６３１ｂ）を持つ。前記光ピックアップは、互いに波長の異なる３種類のレーザビームを使い分けて３種類の光ディスクに対して記録・再生を行うことが可能な３波長対応光ピックアップ（１０）から構成されて良い。
【００２３】
なお、上記括弧内の参照符号は、単に本発明の理解を容易にするために付したものであって、何ら本発明を限定するものではない。
【発明の効果】
【００２４】
摺接部に被せられて、副軸と当接するキャップを備えているので、長年使用しても、摺接部の磨耗を防止することができる。
【発明を実施するための最良の形態】
【００２５】
以下、図面を参照して本発明の実施の形態について詳細に説明する。
【００２６】
前述したように、光ディスクドライブにおいては、ＤＶＤやＣＤばかりでなくＨＤ−ＤＶＤ（High Definition ＤＶＤ）に対しても記録・再生可能にするために特殊な光ピックアップを搭載したものが開発されている。そのような特殊な光ピックアップは、ＤＶＤ用の中波長レーザビーム（波長約６５０ｎｍ）とＣＤ用の長波長レーザビーム（波長約７８０ｎｍ）とＨＤ−ＤＶＤ（ＨＤ）用の短波長レーザビーム（波長約４１０ｎｍ）との３種類のレーザビームを使い分けて記録・再生を行うものであり、「３波長対応光ピックアップ」と呼ばれている。
【００２７】
図１は本発明に係る３波長対応光ピックアップ１０の光学系のシステム構成図である。図示の３波長対応光ピックアップ１０は、レーザビームを出射するレーザ光源として１チップ型レーザダイオード１１と、青色レーザダイオード１２とを有する。
【００２８】
１チップ型レーザダイオード１１は、第１のレーザダイオード（図示せず）と第２のレーザダイオード（図示せず）とを１部品（１チップ）で構成したものである。第１のレーザダイオード（第１の発光点）と第２のレーザダイオード（第２の発光点）とは所定距離（例えば、１００μｍ）だけ離れている。第１のレーザダイオードは、第１の波長としてＣＤ用の波長約７８０ｎｍを持つ第１のレーザビームを出射するレーザダイオードであって、「ＣＤ−ＬＤ」と略称される。第２のレーザダイオードは、第２の波長としてＤＶＤ用の波長約６５０ｎｍを持つ第２のレーザビームを出射するレーザダイオードであって、「ＤＶＤ−ＬＤ」と略称される。青色レーザダイオード１２は、第３のレーザダイオードとも呼ばれ、第３の波長としてＨＤ−ＤＶＤ（ＨＤ）用の波長約４１０ｎｍを持つ第３のレーザビームを出射するレーザダイオードであって、「ＨＤ−ＬＤ」と略称される。
【００２９】
３波長対応光ピックアップ１０は、これら第１乃至第３のレーザビームのいずれか１つを光ディスク（図示せず）へ導くとともに、その反射光を光検出器３５（後述する）へ導く光学系とを備えている。そして、この光学系には、光ディスクに対向するように配置される対物レンズ３１が含まれている。レーザ光源１１、１２および光検出器３５は、光学ベース（後述する）の外壁に取り付けられ、対物レンズ３１を除く光学系は光学ベース内に取り付けられる。
【００３０】
一方、対物レンズ３１は、後述する対物レンズ駆動装置（光ピックアップアクチュエータ）に搭載される。後述するように、対物レンズ駆動装置は、対物レンズ３１を保持する対物レンズホルダを、複数本のサスペンションワイヤによってダンパベースで弾性支持する。
【００３１】
図示の３波長対応光ピックアップ１０は、光学系として、第１および第２の回折格子（グレーティング）１６および１７と、第１のビームスプリッタ２１と、第２のビームスプリッタ２３と、フロントモニタ２５と、立上げミラー（全反射ミラー）２７と、コリメータレンズ２９と、上記対物レンズ３１と、センサレンズ（検出レンズ）３３とを備えている。
【００３２】
第１の回折格子１６、第１のビームスプリッタ２１、第２のビームスプリッタ２３、立上げミラー２７、コリメータレンズ２９、対物レンズ３１、およびセンサレンズ３３の組み合わせは、第１または第２のレーザダイオードから出射された第１または第２のレーザビームを光ディスク（ＣＤまたはＤＶＤ）側へ導くと共に、この光ディスク側から反射された第１または第２の戻り光を透過して光検出器３５へ導く第１または第２の光学系として働く。同様に、第２の回折格子１７、第１のビームスプリッタ２１、第２のビームスプリッタ２３、立上げミラー２７、コリメータレンズ２９、対物レンズ３１、およびセンサレンズ３３の組み合わせは、青色レーザダイオード（第３のレーザダイオード）から出射された第３のレーザビームを光ディスク（ＨＤ―ＤＶＤ）側へ導くと共に、この光ディスク側から反射された第３の戻り光を透過して光検出器３５へ導く第３の光学系として働く。
【００３３】
ここで、青色レーザダイオード（第３のレーザダイオード）１２は、光軸中心に配置され、１チップ型レーザダイオード１１内の第２のレーザダイオードは、光軸中心に配置されている。従って、１チップ型レーザダイオード１１内の第１のレーザダイオードは、光軸からずれた状態で配置されている。そこで、図示の光検出器３５は、ＣＤからの第１の戻り光を光軸からずれたままで受光するように構成されている。
【００３４】
図２に図１に示した３波長対応光ピックアップに使用されるフォトディテクタ３５の構成を示す。フォトディテクタ３５は、第１の戻り光を受光するための第１の受光部３５−１と、第２または第３の戻り光を受光するための第２の受光部３５−２とを有する。第１の受光部３５−１は、中央の光束（メインビーム）を受光するための４分割フォトダイオードａ、ｂ、ｃ、ｄと、両側の２本の光束（サブビーム）を受光するための４つのフォトダイオードｅ、ｆ、ｇ、ｈとから構成される。第２の受光部３５−２は、中央の光束（メインビーム）を受光するための４分割フォトダイオードＡ、Ｂ、Ｃ、Ｄと、一方のサブビーム（先行サブビーム）を受光するための４つのフォトダイオードＥ１、Ｆ１、Ｇ１、Ｈ１と、他方のサブビーム（後行サブビーム）を受光するための４つのフォトダイオードＥ２、Ｆ２、Ｇ２、Ｈ２とから構成されている。
【００３５】
次に、図１に示した３波長対応光ピックアップの動作について説明する。この技術分野において周知のように、３波長対応光ビップアップは、書込みモードと再生モードとのいずれか一方のモードで動作するが、ここでは、再生モードの場合の動作について説明する。
【００３６】
最初に、光ディスクとしてＣＤを使用した場合の動作について説明する。この場合、１チップ型レーザダイオード１１内の第１のレーザダイオード（ＣＤ−ＬＤ）のみが動作状態に置かれ、１チップ型レーザダイオード１１内の第２のレーザダイオード（ＤＶＤ−ＬＤ）および青色レーザダイオード（第３のレーザダイオード）１２（ＨＤ−ＬＤ）は非動作状態に置かれる。
【００３７】
第１のレーザダイオード（ＣＤ−ＬＤ）から出射された第１のレーザビームは、第１の回折格子１６を通り、ここでトラッキング制御、フォーカス制御、およびチルティング制御を行うために３本のレーザビームに分離される。その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第１のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＣＤ）の記録面に照射される（集光される）。
【００３８】
この光ディスク（ＣＤ）の記録面からの反射光（第１の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第１の受光部３５−１（図２）に集光する（で受光される）。
【００３９】
次に、光ディスクとしてＤＶＤを使用した場合の動作について説明する。この場合、１チップ型レーザダイオード１１内の第２のレーザダイオード（ＤＶＤ−ＬＤ）のみが動作状態に置かれ、１チップ型レーザダイオード１１内の第１のレーザダイオード（ＣＤ−ＬＤ）および青色レーザダイオード（第３のレーザダイオード）１２（ＨＤ−ＬＤ）は非動作状態に置かれる。
【００４０】
第２のレーザダイオード（ＤＶＤ−ＬＤ）から出射された第２のレーザビームは、第１の回折格子１６を通り、その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第２のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＤＶＤ）の記録面に照射される（集光される）。
【００４１】
この光ディスク（ＤＶＤ）の記録面からの反射光（第２の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００４２】
最後に、光ディスクとしてＨＤ−ＤＶＤを使用した場合の動作について説明する。この場合、青色レーザダイオード（第３のレーザダイオード）１２（ＨＤ−ＬＤ）のみが動作状態に置かれ、１チップ型レーザダイオード１１内の第１のレーザダイオード（ＣＤ−ＬＤ）および第２のレーザダイオード（ＤＶＤ−ＬＤ）非動作状態に置かれる。
【００４３】
青色レーザダイオード（第３のレーザダイオード）１２（ＨＤ−ＬＤ）から出射された第３のレーザビームは、第２の回折格子１７を通り、ここでトラッキング制御、フォーカス制御、およびチルティング制御を行うために３本のレーザビームに分離される。その後、これら３本のレーザビームは第３のビームスプリッタ２１で反射され、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第３のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＨＤ−ＤＶＤ）の記録面に照射される（集光される）。
【００４４】
この光ディスク（ＨＤ−ＤＶＤ）の記録面からの反射光（第３の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００４５】
図３および図４を参照して、３波長対応光ピックアップ１０について更に説明する。以下では、３波長対応光ピックアップ１０を単に光ピックアップと呼ぶことにする。
【００４６】
光ピックアップ１０は、光学ベース４０を有する。この光学ベース４０上には、ＯＰＵ回路基板７１を介して対物レンズ駆動装置５０が搭載されている。光学ベース４０は、光ディスクドライブに導入された光ディスクの半径方向（トラッキング方向Ｔｒ）に移動可能にガイドバー（図示せず）に取り付けられている。換言すれば、光ピックアップ１０は、ビップアップ駆動部（図示せず）によって所定のディスク半径方向（トラッキング方向Ｔｒ）にスレッド移動させられる。ビップアップ駆動部は、上記ガイドバーとして、光ピックアップ１０をその両側で所定のディスク半径方向（トラッキング方向Ｔｒ）に対してスレッド移動可能に支持する主軸（図示せず）および副軸（図示せず）を備えている。主軸および副軸の両方とも、ディスク半径方向（トラッキング方向Ｔｒ）に対して実質的に平行となるように延在して配置されている。すなわち、主軸と副軸とは、互いに平行に配置されている。
【００４７】
光ピックアップ１０は、主軸と係合する係合部（係合孔）６１と、副軸によって摺動可能に支持される、断面コ字型の摺接部６２とを有する。図示の例では、摺接部６２の上部摺接部分にキャップ６３が嵌めこまれており、このキャップ６３と摺接部６２の下部摺接部分との間に副軸が配置され、図示しない押えばねによって副軸は摺接部６２の上部摺接部分に近づく方向に付勢される。
【００４８】
係合部（係合孔）６１は、含油メタルから構成されている。光学ベース４０の材料は、マグネシウム合金から成り、摺接部６２の材料もマグネシウム合金から成る。キャップ６３は、耐摩耗性と摺動性のある材料から成る。キャップ６３は、摺接部６２に被せられる。摺接部６２とキャップ６３の構成については、後で図面を参照して詳細に説明する。
【００４９】
対物レンズ駆動装置５０は、略直方体の形状をしている対物レンズホルダ５１を備える。対物レンズホルダ５１は、中央に対物レンズ３１を装着するための貫通孔によるレンズ装着部を有する。図示の対物レンズ駆動装置５０は、対称構造をしており、対物レンズ３１を中心としてコイル（図示せず）やマグネットを含む磁気回路（図示せず）が対称に配置されている。対称構造の対物レンズ駆動装置５０において、対物レンズホルダ５１に１つのフォーカシングコイル（図示せず）を巻回し、対物レンズホルダ５１の側面にトラッキングコイル（図示せず）及びチルティングコイル（図示せず）を貼り付け、これらのコイルを磁気回路のギャップ内に部分的に位置させている。このような構成において、各コイルに流す電流を制御することで、対称構造の対物レンズ駆動装置５０は、対物レンズ３１の位置及び傾きを微調整することができる。
【００５０】
詳述すると、対物レンズ駆動装置５０は、対物レンズ３１を保持する対物レンズホルダ５１を、６本のサスペンションワイヤ５２によってダンパベース５３で弾性支持している。換言すれば、対物レンズホルダ５１は、タンジェンシャル方向Ｔｇに延在する６本のサスペンションワイヤ５２によりダンパベース５３で支持される。これら６本のサスペンションワイヤ５２は、上記の各種コイルと外部回路、つまり対物レンズ駆動装置５０のための駆動回路とを電気的に接続するための配線としても利用される。対物レンズホルダ５１には、前述してように、チルティングコイル、フォーカシングコイル及びトラッキングコイルが巻回されている。これらコイルに流す電流を適切に制御することにより、対物レンズホルダ５１は、ヨーク及びマグネットから成る磁気回路が作り出す磁界との関係に基づき、トラッキング方向Ｔｒに傾動し（タンジェンシャル方向Ｔｇに平行な軸を回転軸として回動し）、またトラッキング方向Ｔｒに沿って移動し、あるいはフォーカシング方向Ｆに沿って移動する。
【００５１】
光学ベース４０の上面にはＯＰＵ回路基板７１が搭載されている。このＯＰＵ用回路基板７１上で、隙間を空けて、対物レンズ駆動装置５０はそれらの四隅でＵＶ接着剤で光学ベース４０に固着されている。
【００５２】
図３および図４に加えて図５も参照して、光検出器３５はＰＤ回路基板７３上に搭載され、ＰＤホルダ７５によって保持された状態で、ＵＶ接着剤９１によって光学ベース４０の外側壁に固着されている。
【００５３】
図２に示したように、光ディスクからの反射光（戻り光）を受光する光検出器３５は、多数のフォトダイオードから構成されている。そして、これら多数のフォトタイオードで受光された受光信号は、光検出器３５内の処理回路（図示せず）で処理された後、ＰＤフレキシブルプリント基板(ＦＰＣ)７２を介してＯＰＵ回路基板７１へ送出される。
【００５４】
図６乃至図９を参照して、摺接部６２とキャップ６３の構成について更に詳細に説明する。図６は摺接部６２に嵌め込まれるキャップ６３を裏面側から見た斜視図である。図７および図８は、摺接部６２とキャップ６３とを分離して示す分解斜視図である。図９は摺接部６２にキャップ６３を嵌め込んだ状態を示す組立斜視図である。
【００５５】
最初に図７および図８を参照して、摺接部６２の構成について説明する。摺接部６２は、光学ベース４０に対して上下方向（フォーカシング方向Ｆ）に立設された垂直延在部分６２１と、この垂直延在部６２１の下端からタンジェンシャル方向Ｔｇに突出する下部摺接部分６２２と、この垂直延在部６２１の上端からタンジェンシャル方向Ｔｇに突出する上部摺接部分６２３とを有する。
【００５６】
下部摺接部分６２２は、その内壁から上方へ突出する下部盛上り部６２２ａを持つ。上部摺接部分６２３は、その内壁から下方へ突出する上部盛上り部６２３ａを持ち、後述するキャップ６３が摺動して嵌め込まれる外面（上面）６２３ｂを持つ。図７に示されるように、上部摺接部分６２３は、後述するキャップ６３が容易に嵌め込まれるのを可能にするために垂直延在部６２１から離れるに従ってその幅が細くなる楔形をしている。換言すれば、上部摺接部分６２３は、その先端部の方が根元部よりも幅が細くなっている。上部摺接部分６２３の根元部には、後述するキャップ６３の係合突起と係合する係合溝６２３ｃが形成されている。
【００５７】
次に、図６を参照して、キャップ６３の構成について詳細に説明する。キャップ６３は、それを上部摺接部分６２３に挿入する際に、上部摺接部分６２３の外面（上面）６２３ｂと摺接する内面６３１ａを持つ上部カバー部６３１と、この上部カバー部６３１の内壁６３１ａから突出して、キャップ６３を上部摺接部分６２３に挿入する際に、キャップ６３を案内する第１および第２の案内壁６３２、６３３と、断面コ字型の下部カバー部６３４とを有する。
【００５８】
第１および第２の案内壁６３２、６３３は、キャップ６３が上部摺接部分６２３に挿入された際に、上部摺接部分６２２の両側壁と当接するような形状をしている。すなわち、第１および第２の案内壁６３２、６３３の挿入方向の先端部における間隔は、上部摺接部分６２３の根元部における幅と実質的に等しく広くなっており、第１および第２の案内壁６３２、６３３における挿入方向の後端部における間隔は、上部摺接部分６２３の先端部における幅と実質的に等しく狭くなっている。このような形状をしているので、キャップ６３を上部摺接部分６２３に対して容易に挿入することが可能である。
【００５９】
上部カバー部６３１は、その挿入方向の先端部に、上部摺接部分６２３の上記係合溝６２３ｃと係合する係合突起６３１ｂを有する。これにより、キャップ６３が上部摺接部分６２３が一旦嵌合された後に、キャップ６３が上部摺接部分６２３から抜けるのを防止することができる。
【００６０】
下部カバー部６３４は、その外面に副軸と摺接する摺接面６３４ａと、その内面に上部摺接部分６２３の下部盛上り部６２３ａと当接する当接部６３４ｂとを持つ。なお、下部カバー部６３４において、摺接面６３４ａと当接部６３４ｂとを形成する部分の肉厚は厚くなっており、その両端からは肉厚の薄い連結部によって下部カバー部６３４と上部カバー部６３１とが連結される。したがって、下部カバー部６３４は可撓性を有している。
【００６１】
このような構成の摺接部６２とキャップ６３において、図７および図８の矢印で示されるように、キャップ６３は上部摺接部分６２３に挿入される（嵌め込まれる）。この際、上部摺接部分６２３の外面（上面）６２３ｂは、上部カバー部６３１の内面６３１ａと摺接し、上部摺接部分６２３の一対の側壁に対して第１および第２の案内壁６３２、６３３に案内される。上部摺接部分６２３に対するキャップ６３の挿入が完了する直前に、上部カバー部６３１の係合突起６３１ｂが上部摺接部分６２３の係合溝６２３ｃと係合する。これにより、図９に示されるように、キャップ６３が上部摺接部分６２３に嵌合される。
【００６２】
したがって、ディスク装置の副軸は、摺接部６２の下部摺接部分６２２の下部盛上り部６２２ａとキャップ６３の下部カバー部６３４の摺接面６３４ａとの間に配置されて、副軸は図示しない押えばねによって摺接面６３４ａに押えられる。
【００６３】
これにより、摺接部６２における磨耗を防止しながら、光ピックアップ１０のシーク動作の耐久性を向上させることができる。また、上述したように下部カバー部６３４は可撓性を有するので、副軸から下部カバー部６３４にかかるストレスを軽減することができる。
【００６４】
なお、図４に示されるように、光ピックアップ１０は、１チップ型レーザダイオード１１と青色レーザダイオード１２とを覆うサイドカバー１１０を備えている。このサイドカバー１１０の一端はネジ（図示せず）で光学ベース４０に固定され、サイドカバー１１０の他端はＵＶ接着剤１１４で光学ベース４０に固着されている。尚、サイドカバー１１０と光学ベース４０とが互いに近接する隙間には、図示しないシリコーン樹脂が付けられている。このサイドカバー１１０は、本光ピックアップ１０を取り扱う際に、人（製造者）が１チップ型レーザダイオード１１や青色レーザダイオード１２のＬＤ端子に直接触れるのを防ぐためのものである。これにより、１チップ型レーザダイオード１１や青色レーザダイオード１２が破壊するのを防止している。尚、このサイドカバー１１０は、レーザダイオードを保護するだけでなく、不要輻射ノイズが外部へ放射するのを軽減する役目をも担っている。
【００６５】
以上、本発明ついて一実施の形態に即して説明してきたが、本発明は上記実施の形態に限定されるものではない。例えば、上述した実施の形態では、青色レーザビーム対応の光ディスクとしてＨＤ−ＤＶＤを使用した場合を例に挙げて説明しているが、ＨＤ−ＤＶＤの代わりにＢｌｕ−ｒａｙディスクを用いても良いのは勿論である。また、上述した実施の形態では、光ピックアップとして３波長対応光ピックアップを例に挙げて説明したが、本発明はこれに限定されず、種々の光ピックアップに適用可能である。
【図面の簡単な説明】
【００６６】
【図１】本発明の一実施の形態に係る３波長対応光ピックアップの光学系のシステム構成図（光路図）である。
【図２】図１に図示した３波長対応光ピックアップに使用される光検出器の構成を示す概略平面図である。
【図３】図１に図示した３波長対応光ピックアップの斜視図である。
【図４】図１の図示した３波長対応光ピックアップの斜視図である。
【図５】図３及び図４に図示した３波長対応光ピックアップに使用される光検出器とそれをＯＰＵ回路基板へ接続するためのＰＤフレキシブルプリント基板とを含む組立体の分解斜視図である。
【図６】図３及び図４に示した３波長対応光ピックアップに使用される摺接部に嵌め込まれるキャップを裏面側から見た斜視図である。
【図７】摺接部とキャップとを分離して示す分解斜視図である。
【図８】摺接部とキャップとを分離して示す分解斜視図である。
【図９】摺接部にキャップを嵌め込んだ状態を示す組立斜視図である。
【符号の説明】
【００６７】
１０      ３波長対応光ピックアップ
１１      １チップ型レーザダイオード
１２      青色レーザダイオード(第３のレーザダイオード)
１６      第１の回折格子（グレーティング）
１７      第２の回折格子（グレーティング）
２１      第１のビームスプリッタ
２３      第２のビームスプリッタ
２５      フロントモニタ
２７      立上げミラー（全反射ミラー）
２９      コリメータレンズ
３１      対物レンズ
３３      センサレンズ
３５      光検出器
３５−１    第１の受光部
３５−２    第２の受光部
４０      光学ベース
５０      対物レンズ駆動装置
５１      対物レンズホルダ
５２      サスペンションワイヤ
５３      ダンパベース
６１      係合部（係合孔）
６２      摺接部
６２１    垂直延在部
６２２    下部摺接部分
６２２ａ  下部盛上り部
６２３    上部摺接部分
６２３ａ  上部盛上り部
６２３ｂ  外面（上面）
６２３ｃ  係合溝
６３      キャップ
６３１    上部カバー部
６３１ａ  内壁
６３１ｂ  係合突起
６３２    第１の案内壁
６３３    第２の案内壁
６３４    下部カバー部
６３４ａ  摺接面
６３４ｂ  当接部
【図１】
2008090883.tif 000003
【図２】
2008090883.tif 000004
【図３】
2008090883.tif 000005
【図４】
2008090883.tif 000006
【図５】
2008090883.tif 000007
【図６】
2008090883.tif 000008
【図７】
2008090883.tif 000009
【図８】
2008090883.tif 000010
【図９】
2008090883.tif 000011